(57)【特許請求の範囲】
【請求項１】
スロットを通してディスクが本体ケース内に装填されるディスク装置において、
モータによって前後方向に移動するローディングスライダを有し、前記ローディングスライダが後方に移動するときに前記ディスクを前記本体ケース内に搬入するとともに、前記ローディングスライダが前方に移動するときに前記ディスクを本体ケース外に搬出するディスク搬送機構と、
前記ローディングスライダに駆動力を与え、この駆動力よりもディスク排出負荷が小さい区間では前記ローディングスライダを前方に移動させる第１バネと、
複数のギアを有し、前記モータの回転を前記ローディングスライダに伝達する伝達ギア機構と、
本体ケースの前面から挿入された操作部材で押されて後方に移動する排出操作手段と、
前記排出操作手段を前方に向けて付勢する第２バネと、
前記排出操作手段が後方に移動する間に、前記伝達ギア機構内の第１ギアを噛合位置から非噛合位置に移動して、前記伝達ギア機構をディスク搬送機構側とモータ側とに切り離し、また前記排出操作手段が前方に戻る間に前記第１ギアを前記噛合位置へ戻すクラッチ手段と、
前記第１ギアが前記非噛合位置に移動した後に、前記排出操作手段が更に所定距離移動する間に、前記ディスク搬送機構側に属する第２ギアに噛合して回転させることで、前記ディスク排出負荷が第１バネの駆動力よりも大きい区間では、停止中の前記ローディングスライダを前方に強制的に移動させるラックギアと、
前記操作部材の押し込みで前記排出操作手段が後方に移動する間は、前記ラックギアと前記第２ギアとの噛合を維持し、前記操作部材の引き抜きに追従して前記排出操作手段が前方に移動する間は、前記ラックギアが前記第２ギアから抜け出ながら戻ることを可能にするラックギア噛み合い制御手段と、
を備えることを特徴とするディスク装置。
【請求項２】
前記ラックギアが戻されて前記第２ギアとの噛合が外れた後で、前記ディスク排出負荷が前記第１バネの駆動力よりも小さいときに、前記第１バネの駆動力で前記ローディングスライダの前方への移動が行われ、前記第１ギアが前記非噛合位置から前記噛合位置に移動して、前記ディスク排出負荷が前記第１バネの駆動力よりも大きくなったときに、前記ローディングスライダの移動が停止することを特徴とする請求項１記載のディスク装置。
【請求項３】
前記排出操作手段は、前記操作部材によって押される第１排出操作レバーと、前記ラックギアを備え、前記ラックギアが前記第２ギアから抜け出るように揺動可能な第２排出操作レバーとを備えることを特徴とする請求項１または２記載のディスク装置。
【請求項４】
前記ラックギア噛み合い制御手段は、
前記第２排出操作レバーを前方に付勢するとともに、前記ラックギアが前記第２ギアに噛合するように前記第２排出操作レバーに回転力を与える第３バネと、
前記第１排出操作レバーと前記第２排出操作レバーとの一方に設けられた突起と、他方に設けられており、前記第２排出操作レバーの揺動を可能にする幅広な開口とからなり、
前記開口と突起は、前記第２排出操作レバーの揺動中心に関して前記第３バネと反対側に位置しており、前記第１排出操作レバーが所定の遊び区間を移動した後に、前記開口の一端と前記突起とが当接することで、前記第２排出操作レバーが前記第１排出操作レバーと一緒に後方へ移動することを特徴とする請求項３記載のディスク装置。
【請求項５】
前記第２排出操作レバーには、前記クラッチ手段が設けられており、前記クラッチ手段は、前記第１ギアの下に出入りする突起であり、この突起が前記第１ギアの下方から退避したときに、前記第１ギアが前記噛合位置から前記非噛合位置に移動することを特徴とする請求項３または４記載のディスク装置。
【請求項６】
前記第１排出操作レバーには受け部が形成されており、前記ローディングスライダが前記伝達ギア機構を介して前記モータで駆動されて前記ディスクを自動搬出するときには、前記ローディングスライダの先端が前記受け部にほぼ当接した位置まで前進することを特徴とする請求項３ないし５いずれか１つ記載のディスク装置。
【発明の詳細な説明】
【技術分野】
【０００１】
本発明は、緊急時にディスクを手動で排出可能なディスク装置に関するものである。
【背景技術】
【０００２】
コンピュータやカーナビ装置などの各種の情報機器には、多量の情報をストアすることができるディスク（例えば、ＣＤ、ＤＶＤ、ブルーレイディスクなど）が、記録媒体として用いられる。このディスクは、ディスク装置に装填され、情報の記録と再生とが行われる。一般に、情報機器に内蔵されているディスク装置には、ディスクを収納したトレイを出し入れするトレイタイプと、スロットを通してディスクを出し入れするスロットインタイプとがある。このスロットインタイプのディスク装置では、モータによって移動するローディングスライダを有するディスク搬送機構が設けられている。ディスクをフロントベゼルのスロットに差し込むと、ディスク搬送機構が少し動かされ、モータが始動する。モータが始動すると、ローディングスライダが移動して、ディスク搬送機構によるディスクの搬入が行われる。
【０００３】
スロットインタイプのディスク装置は、トレイが不要であるから、小型かつ軽量であって、ノートパソコン等に広く用いられている。このディスク装置からディスクを搬出するときには、押釦操作などによりディスクのイジェクトを指示する。この指示によってモータが逆転して、ディスクの自動搬出が行われる。
【０００４】
しかし、停電などによる電源の遮断あるいはディスク装置自体の不具合が発生すると、ディスクが自動的に搬出されずに、ディスク装置内に残置されたままの状態となる。この緊急事態に対応するため、ディスク装置にはディスク強制排出機構が設けられている。
【０００５】
特許文献１〜３のディスク装置では、ローディングスライダを有するディスク搬送機構と、このローディングスライダを駆動するモータと、複数のギアを有し、モータの回転をローディングスライダに伝達する伝達ギア機構とが設けられ、さらに、ディスク強制排出機構として、伝達ギア機構内のギアの１つを保持し、他のギアとの噛合を解除する非噛合位置まで回転させる回転板が設けられている。これらのディスク装置では、ローディングスライダが前方向に移動したときに、ディスクを本体ケース内に搬入し、ローディングスライダが後方向に移動したときに、ディスクを本体ケース外に搬出する。緊急時に、本体ケースの前面の孔に操作ピンを押し込むと、回転板が回転され、ギアが非噛合位置まで回転する。ギアの噛合が解除された状態で操作ピンを更に押し込むと、操作ピンによってローディングスライダが後方向に押されて、ディスクが本体ケース外に排出される。
【先行技術文献】
【特許文献】
【０００６】
【特許文献１】特開２００９−０３７７１０号公報
【特許文献２】特開２００８−１９８２６４号公報
【特許文献３】特開２００７−２２０２７６号公報
【発明の概要】
【発明が解決しようとする課題】
【０００７】
特許文献１〜３では、操作ピンを最も奥へ押し込んだときに、ディスクがイジェクト位置まで強制的に排出される。操作者は、操作ピンを指で掴んで押し込み操作を行うため、ディスクがイジェクト位置に排出されたときに、ディスクが押し込み操作中の指に衝突して怪我をすることがあり、安全性に問題があった。
【０００８】
本発明は、緊急時に手動でディスクを排出するときにディスクが指等に衝突する恐れをなくして安全性を高めたディスク装置を提供することを目的とする。
【課題を解決するための手段】
【０００９】
上記目的を達成するために、本発明のディスク装置は、スロットを通してディスクが本体ケース内に装填されるディスク装置において、モータによって前後方向に移動するローディングスライダを有し、前記ローディングスライダが後方に移動するときに前記ディスクを前記本体ケース内に搬入するとともに、前記ローディングスライダが前方に移動するときに前記ディスクを本体ケース外に搬出するディスク搬送機構と、前記ローディングスライダに駆動力を与え、この駆動力よりもディスク排出負荷が小さい区間では前記ローディングスライダを前方に移動させる第１バネと、複数のギアを有し、前記モータの回転を前記ローディングスライダに伝達する伝達ギア機構と、本体ケースの前面から挿入された操作部材で押されて後方に移動する排出操作手段と、前記排出操作手段を前方に向けて付勢する第２バネと、前記排出操作手段が後方に移動する間に、前記伝達ギア機構内の第１ギアを噛合位置から非噛合位置に移動して、前記伝達ギア機構をディスク搬送機構側とモータ側とに切り離し、また前記排出操作手段が前方に戻る間に前記第１ギアを前記噛合位置へ戻すクラッチ手段と、前記第１ギアが前記非噛合位置に移動した後に、前記排出操作手段が更に所定距離移動する間に、前記ディスク搬送機構側に属する第２ギアに噛合して回転させることで、前記ディスク排出負荷が第１バネの駆動力よりも大きい区間では、停止中の前記ローディングスライダを前方に強制的に移動させるラックギアと、前記操作部材の押し込みで前記排出操作手段が後方に移動する間は、前記ラックギアと前記第２ギアとの噛合を維持し、前記操作部材の引き抜きに追従して前記排出操作手段が前方に移動する間は、前記ラックギアが前記第２ギアから抜け出ながら戻ることを可能にするラックギア噛み合い制御手段と、を備えることを特徴とする。
【００１０】
また、前記ラックギアが戻されて前記第２ギアとの噛合が外れた後で、前記ディスク排出負荷が前記第１バネの駆動力よりも小さいときに、前記第１バネの駆動力で前記ローディングスライダの前方への移動が行われ、前記第１ギアが前記非噛合位置から前記噛合位置に移動して、前記ディスク排出負荷が前記第１バネの駆動力よりも大きくなったときに、前記ローディングスライダの移動が停止することが好ましい。
【００１１】
さらに、前記排出操作手段は、前記操作部材によって押される第１排出操作レバーと、前記ラックギアを備え、前記ラックギアが前記第２ギアから抜け出るように揺動可能な第２排出操作レバーとを備えることが好ましい。
【００１２】
また、前記ラックギア噛み合い制御手段は、前記第２排出操作レバーを前方に付勢するとともに、前記ラックギアが前記第２ギアに噛合するように前記第２排出操作レバーに回転力を与える第３バネと、前記第１排出操作レバーと前記第２排出操作レバーとの一方に設けられた突起と、他方に設けられており、前記第２排出操作レバーの揺動を可能にする幅広な開口とからなり、前記開口と突起は、前記第２排出操作レバーの揺動中心に関して前記第３バネと反対側に位置しており、前記第１排出操作レバーが所定の遊び区間を移動した後に、前記開口の一端と前記突起とが当接することで、前記第２排出操作レバーが前記第１排出操作レバーと一緒に後方へ移動することが好ましい。
【００１３】
さらに、前記第２排出操作レバーには、前記クラッチ手段が設けられており、前記クラッチ手段は、前記第１ギアの下に出入りする突起であり、この突起が前記第１ギアの下方から退避したときに、前記第１ギアが前記噛合位置から前記非噛合位置に移動することが好ましい。
【００１４】
また、前記第１排出操作レバーには受け部が形成されており、前記ローディングスライダが前記伝達ギア機構を介して前記モータで駆動されて前記ディスクを自動搬出するときには、前記ローディングスライダの先端が前記受け部にほぼ当接した位置まで前進することが好ましい。
【発明の効果】
【００１５】
本発明によれば、操作部材の押し込み操作中には、ディスクがスロットから突出することがなく、操作部材の引き抜き操作により、ディスクがイジェクト位置に排出される。これにより、緊急時に手動でディスクを排出するときに、ディスクが指等に衝突するのを防止して、安全性を高めることができる。
【００１６】
また、第１バネの駆動力がディスク排出負荷よりも小さい場合には、排出操作手段の押し込み操作により、ラックギアでローディングスライダを前方に移動させることができるから、第１バネはバネ力が弱いものを使用することができる。これにより、バネ力が強い第１バネを使用したときに発生するローディングスライダの破損や、ローディングスライダを移動自在に支持するガイドピン等の破損を防止することができるとともに、ディスク搬入時のモータ負荷を小さくすることができる。
【００１７】
さらに、第１バネによってローディングスライダを前方に移動させるから、操作部材でローディングスライダを押すものに比べて、操作部材の押込み量を少なくすることができ、排出操作が簡単になる。
【図面の簡単な説明】
【００１８】
【図１】ディスク装置の斜視図である。
【図２】ディスクが強制排出された状態を示すディスク装置の斜視図である。
【図３】ディスク装置の内部を示す斜視図である。
【図４】ディスク装置の内部を示す平面図である。
【図５】ディスク装置の内部を示す底面図である。
【図６】ローディングスライダを示す斜視図である。
【図７】昇降フレームの動作を示す断面図である。
【図８】ディスクが未装填の状態を示す本発明の要部の平面図である。
【図９】ディスクが装填された状態を示す本発明の要部の平面図である。
【図１０】ディスクが装填された状態の本発明の要部の斜視図である。
【図１１】第１排出操作レバー、第２排出操作レバー、噛合解除レバーを示す分解斜視図である。
【図１２】第１伝達ギアが噛合位置にあるときの伝達ギア機構を示す側面図である。
【図１３】第１伝達ギアが非噛合位置に移動したときの伝達ギア機構を示す側面図である。
【図１４】操作ピンで第１排出操作レバーを押し込み、第１伝達ギアを非噛合位置へ移動した状態を示す本発明の要部の平面図である。
【図１５】第２排出操作レバーのラックギアが第３伝達ギアに噛合している状態を示す本発明の要部の平面図である。
【図１６】操作ピンによる第１排出操作レバーの押圧操作を解除した状態を示す本発明の要部の平面図である。
【図１７】操作ピンの引き抜き操作に伴うディスクのイジェクト途中の状態を示す本発明の要部の平面図である。
【図１８】手動でローディングスライダがイジェクト位置に移動した状態を示す本発明の要部の平面図である。
【図１９】ラックギアで伝達ギア機構を作動させている状態を示す本発明の要部の平面図である。
【図２０】ラックギアが後退している状態を示す本発明の要部の平面図である。
【図２１】伝達ギア機構がモータ側とディスク搬送機構側とに切り離された状態でのディスク排出負荷の変化を示すグラフである。
【発明を実施するための最良の形態】
【００１９】
図１及び図２において、ディスク装置１は、本体ケース２を備え、その前面にベゼル３が取り付けられている。このベゼル３には、ディスクＤ１を挿入するスロット３ａと、ディスクＤ１のイジェクトを指示するための押し釦４と、ディスク装置１の動作状態を表示するためのインジケータ５とが設けられている。ディスクＤ１は、チャッキングのための中心孔Ｄ１ａが形成されている。
【００２０】
ベゼル３には、緊急時に手動によりディスクＤ１を強制排出するためのエマージェンシ孔３ｂが形成されている。図２に示すように、エマージェンシ孔３ｂに挿入した操作部材（操作ピン）７０の押し込み操作により、ディスクＤ１は、チャッキングヘッド１３（図３参照）によるチャッキングが解除され、操作ピン７０の引き抜き操作により強制排出時のイジェクト位置へ排出される。
【００２１】
本体ケース２には、天板９が取り付けられている。この天板９のほぼ中央には、ディスクＤ１のチャッキング時にチャッキングヘッド１３が僅か入り込むための開口９ａが形成されている。また、開口９ａの周囲には、本体ケース２の内壁に突出部を形成するための凹部９ｂが設けられている。この本体ケース２の突出部は、チャッキングヘッド１３がディスクＤ１の中心孔Ｄ１ａに挿入するときに、ディスクＤ１を受け止める。
【００２２】
図３及び図４において、本体ケース２を上下に仕切るように、ベースパネル６が固定されている。このベースパネル６には、中央から斜め方向に延びた開口６ａが形成されている。この開口６ａ内には、昇降フレーム７が配置され、周知の緩衝支持構造８により複数箇所でベースパネル６に取り付けられている。ディスクＤ１を本体ケース２へ搬入または搬出するときに、昇降フレーム７は、ベゼル３側を支軸とし、装置中央に位置する先端部が上下方向に揺動する。また、昇降フレーム７には、中央から斜め方向に延びた開口７ａが形成されている。
【００２３】
昇降フレーム７の先端には、ドライブユニット１０が取り付けられている。このドライブユニット１０は、スピンドルモータ１１、ターンテーブル１２、チャッキングヘッド１３を備えている。スピンドルモータ１１は、昇降フレーム７の背面に固定され、その駆動軸にターンテーブル１２が固定されている。チャッキングヘッド１３は、ターンテーブル１２と一体に形成されており、昇降フレーム７が上昇したときに、チャッキング位置にあるディスクＤ１の中心孔Ｄ１ａに入り込む。チャッキングヘッド１３には、バネで付勢された複数のチャッキング爪１３ａが設けられており、ディスクＤ１を着脱可能に係止する。チャッキング解除ピン１４は、昇降フレーム７が下降するときに、ディスクＤ１を受け止めてチャッキングヘッド１３から外す。
【００２４】
また、昇降フレーム７にはヘッドユニット１７が取り付けられている。このヘッドユニット１７は、昇降フレーム７の開口７ａから露出したキャリッジ１８と、これに保持されたピックアップヘッド１９とから構成されている。情報の記録／再生時には、キャリッジ１８が開口７ａに沿って移動する。
【００２５】
ベースパネル６上には、ディスクＤ１の搬入及び搬出を行うためのディスク支持アーム２０と、スロット３ａから挿入されたディスクＤ１を本体ケース２内へ搬入するための誘引アーム２１とが配置されている。このディスク支持アーム２０は、ホルダ２０ａでディスクＤ１の前端部を保持し、軸２２を中心にして揺動する。誘引アーム２１は、フランジ付ローラ２１ａでディスクＤ１の後端部を保持し、軸２３を中心にして揺動する。この誘引アーム２１を揺動させるために、リンクレバー２４が連結されている。このリンクレバー２４は、ピン２４ａがカム溝２５に沿って移動する。
【００２６】
なお、図４には、ディスクＤ１が自動搬出時のイジェクト位置にある場合、ディスクＤ１が自動搬入の開始位置にある場合、ディスクＤ１がチャッキング完了後の記録／再生位置にある場合がそれぞれ示されている。
【００２７】
図５において、ピックアップヘッド１９を保持したキャリッジ１８は、ガイドシャフト２６，２７に支持されている。これらのガイドシャフト２６，２７は、その両端が昇降フレーム７の背面に固定されている。スレッドモータ２８の回転は、ギアトレイン２９を介して、スクリュシャフト３０に伝達される。このスクリュシャフト３０の回転により、キャリッジ１８が前進／後退する。
【００２８】
ベースパネル６の背面には、ウォームギア３１ａを有するローディングモータ３１が配置され、このローディングモータ３１の回転が、伝達ギア機構３２を介してディスク搬送機構３３に伝達され、ディスクＤ１の搬入又は搬出が行われる。ディスク搬送機構３３の主要部は、ローディングスライダ３４、ディスク支持アーム２０、誘引アーム２１である。
【００２９】
ローディングスライダ３４は、ラックギア３４ａと、フック状のバネ掛け部３４ｂ（図８参照）と、リンクレバー２４のピン２４ａを押すためのカム溝３４ｃと、リンクレバー３６を作動させるためのカム溝３４ｄとが設けられている。カム溝３４ｃは横方向に延びており、ピン２４ａをローディングスライダ３４の移動方向に押すことにより、ピン２４ａをカム溝２５に沿って移動させる。
【００３０】
リンクレバー３６は、ピン３６ａがローディングスライダ３４のカム溝３４ｄに嵌合しており、ローディングスライダ３４が移動するときに、軸３７を中心にして回転する。このリンクレバー３６は、リンクアーム３８を介してベース部２０ｂと連結されている。このベース部２０ｂは、ベースパネル６の表面に配置されたディスク支持アーム２０と、軸２２で一体的に連結されている。ベース部２０ｂの周囲に、スイッチ３９が配置されており、ディスクＤ１の押し込みでディスク支持アーム２０が回転されたときにＯＮする。このスイッチ３９からの信号で、制御回路（図示せず）はローディングモータ３１を回転させ、ディスクＤ１の自動搬入を開始する。
【００３１】
前記リンクアーム３８は、第１アーム３８ａと、この第１アーム３８ａに対してスライド可能に連結された第２アーム３８ｂと、これらのアーム３８ａ，３８ｂを最短状態に保つためのバネ３８ｃとから構成されている。このスライド可能なリンクアーム３８により、ディスクＤ１がユーザによって本体ケース２内に押し込まれている間、すなわち自動搬入が開始されるまで、リンクレバー３６を作動させることなく、ディスク支持アーム２０が揺動可能となる。ローディングスライダ３４が後方に移動されているときには、バネ３８ｃは、ローディングスライダ３４を前方に付勢する。
【００３２】
図６に示すように、ローディングスライダ３４の側面には、カム溝３４ｅが形成されている。このカム溝３４ｅは、昇降フレーム７の昇降ピン７ｂが挿入され、昇降フレーム７を昇降動させる。カム溝３４ｅは、昇降フレーム７を下降位置に保つための低位部３４ｆ、昇降フレーム７を上昇または降下させるための傾斜部３４ｇ、昇降フレーム７を記録／再生位置に保つための高位部３４ｈが連続して形成されている。
【００３３】
図７（Ａ）に示すように、昇降フレーム７の昇降ピン７ｂがカム溝３４ｅの低位部３４ｆに位置するときには、昇降フレーム７が下降位置にセットされる。昇降ピン７ｂがカム溝３４ｅの傾斜部３４ｇに沿って移動すると、図７（Ｂ）に示すように、昇降フレーム７が上昇して、チャッキングヘッド１３がディスクＤ１の中心孔Ｄ１ａに入り込む。図７（Ｃ）に示すように、昇降ピン７ｂが傾斜部３４ｇの最上部まで移動すると、昇降フレーム７がディスク装着位置にセットされ、ディスクＤ１がチャッキング爪１３ａで係止される。図７（Ｄ）に示すように、昇降ピン７ｂがカム溝３４ｅの高位部３４ｈに入ると、昇降フレーム７がディスク装着位置から僅か下がった記録／再生位置にセットされる。この記録／再生位置では、昇降フレーム７がほぼ平行となっている。
【００３４】
図８に示すように、バネ掛け部３４ｂには、コイルバネ３５の一端が掛けられ、このコイルバネ３５の他端は、ベースパネル６の背面に設けられたフック状のバネ掛け部６ｂに掛けられている。ローディングスライダ３４は、コイルバネ３５により前方に付勢されている。
【００３５】
図８〜図１１に示すように、伝達ギア機構３２は、第１伝達ギア４１、第２伝達ギア４２及び第３伝達ギア４３から構成されている。第１伝達ギア４１は、ベースパネル６に固定されたピン４６に回転自在で、かつ上下方向に移動可能に取り付けられている。第２，第３伝達ギア４２，４３は、ベースパネル６に固定されたピン４７，４８に回転自在に取り付けられている。
【００３６】
第１伝達ギア４１は、小径ギア４１ａと、この小径ギア４１ａの下側に一体に形成された大径ギア４１ｂとから構成されている。同様に、第２伝達ギア４２は、一体に形成された大径ギア４２ａと小径ギア４２ｂとから構成され、第３伝達ギア４３は、一体に形成された小径ギア４３ａと大径ギア４３ｂとから構成されている。
【００３７】
ローディングモータ３１の回転軸には、ウォームギア３１ａが固定されており、このウォームギア３１ａが、第１伝達ギア４１の大径ギア４１ｂに噛合している。小径ギア４１ａは、大径ギア４２ａに噛合しており、小径ギア４２ｂは、大径ギア４３ｂに噛合している。
【００３８】
ローディングスライダ３４は、図８に示すイジェクト位置と、図９に示すディスク装填位置との間で、前後方向に移動可能に設けられている。ローディングスライダ３４のラックギア３４ａは、小径ギア４３ａに噛合している。ローディングモータ３１の回転は、大径ギア４１ｂ、小径ギア４１ａ、大径ギア４２ａ、小径ギア４２ｂ、大径ギア４３ｂ、小径ギア４３ａを介して、ラックギア３４ａに伝達され、ローディングスライダ３４が移動される。
【００３９】
ローディングスライダ３４が、ベゼル３から離れる方向である後方に移動するときに、ディスクＤ１が本体ケース２内に搬入され、ローディングスライダ３４がベゼル３に近付く方向である前方に移動するときに、ディスクＤ１がイジェクト位置に向かって本体ケース２から搬出される。
【００４０】
第１伝達ギア４１の下方には、第１排出操作レバー５１が配されている。この第１排出操作レバー５１には、第２排出操作レバー５２が載せられている。各排出操作レバー５１，５２は、前後方向に移動可能に、本体ケース２に取り付けられている。また、ベースパネル６の背面であって、第２排出操作レバー５２の上方には、小径ギア４１ａと大径ギア４２ａとの噛合を強制的に解除するための噛合解除レバー５３が配されている。なお、第１，第２排出操作レバー５１，５２を一体に形成してもよい。
【００４１】
第１排出操作レバー５１は、操作ピン７０を受ける受け部５１ａと、バネ掛け部５１ｂと、第２排出操作レバー５２を押すための突起５１ｃと、長孔状のガイド孔５１ｄとが形成されている。この第１排出操作レバー５１は、薄い金属板で構成され、各部５１ａ〜５１ｃは、第１排出操作レバー５１から起立するように、曲げ加工により形成されている。受け部５１ａは、その前面には操作ピン７０が挿入される凹部が形成され、後面にはローディングスライダ３４を受け止める凸部が形成されている。バネ掛け部５１ｂには、コイルバネ５５の一端が掛けられ、このコイルバネ５５の他端は、本体ケース２に設けられたフック状のバネ掛け部２ａに掛けられている。第１排出操作レバー５１は、コイルバネ５５により、前方に付勢されている。ガイド孔５１ｄには、本体ケース２に形成された固定ピン５７が挿入されている。
【００４２】
第２排出操作レバー５２は、ピン４６が挿通される挿通孔５２ａと、バネ掛け部５２ｂと、突起５１ｃが挿入される開口５２ｃとが形成されている。また、第２排出操作レバー５２は、第１伝達ギア４１を、第２伝達ギア４２と噛合する噛合位置まで押し上げるクラッチ突起５２ｄと、噛合解除レバー５３を揺動させるためのボス５２ｅと、大径ギア４３ｂに噛合するラックギア５２ｆとが形成されている。バネ掛け部５２ｂには、第２排出操作レバー５２を前方へ付勢するためのコイルバネ５６の一端が掛けられ、このコイルバネ５６の他端は、本体ケース２に設けられたフック状のバネ掛け部２ｂに掛けられている。第２排出操作レバー５２は、開口５２ｃの幅と突起５１ｃの板厚の差だけ、コイルバネ５６に抗してピン４６を中心に揺動可能となっている。なお、図１０では、コイルバネ３５，５５，５６の図示が省略されている。
【００４３】
図１９及び図２０に示すように、コイルバネ５６は、第２排出操作レバー５２を時計方向に付勢し、ラックギア５２ｆが大径ギア４３ｂに噛合するような回転力を付与している。また、開口５２ｃは、第２排出操作レバー５２の移動方向と直交する方向（左右方向）において、第２排出操作レバー５２の揺動中心であるピン４６を中心に、コイルバネ５６と反対側に形成されている。これにより、突起５１ｃが開口５２ｃの後端を押して第２排出操作レバー５２を前方に移動させるときには、第２排出操作レバー５２には、時計方向の回転力が作用しているため、ラックギア５２ｆと大径ギア４３ｂとの噛合状態が維持される。
【００４４】
ラックギア５２ｆの各歯は、垂直な面と傾斜した面とを備え、鋸歯のごとき形状をしている。第２排出操作レバー５２が後方へ移動するときには、ラックギア５２ｆの垂直な歯面が大径ギア４３ｂの歯面に当たって、これを時計方向に回転させる。他方、第２排出操作レバー５２が前方へ移動するときは、ラックギア５２ｆは、その傾斜した歯面が大径ギア４３ｂの歯面に当たりながら、コイルバネ５６の付勢に抗して第２排出操作レバー５２が少し回転することにより、大径ギア４３ｂを反時計方向に回転させることなく、大径ギア４３ｂを通過する。
【００４５】
図１２及び図１３に示すように、クラッチ突起５２ｄは、第２排出操作レバー５２が後方へ移動するときに、大径ギア４１ｂの下から抜け出て、第１伝達ギア４１の下降を可能にする。この第１伝達ギア４１が下降すると、小径ギア４１ａと大径ギア４２ａとの噛合が解除される。逆に、第２排出操作レバー５２が前方へ移動すると、クラッチ突起５２ｄは大径ギア４１ｂの下に入り込んで、第１伝達ギア４１を上昇させる。クラッチ突起５２ｄは、大径ギア４１ｂの下に入り易くするため、傾斜面を有し、ほぼ三角形をしている。
【００４６】
噛合解除レバー５３は、ベースパネル６に固定された矩形状の支持板５９に取り付けられ、この支持板５９を中心とする揺動に対して、復元力（バネ力）を備えている。噛合解除レバー５３は、支持板５９が挿入される矩形状の取付孔５３ａと、ボス５２ｅに当接するリブ５３ｂと、第１伝達ギア４１を非噛合位置まで強制的に押し下げるテーパ状の押下突起５３ｃとが形成されている。リブ５３ｂは、ボス５２ｅの押圧によって噛合解除レバー５３を反時計方向に揺動させる第１傾斜部５３ｄと、時計方向の揺動（戻り）を阻止する第２傾斜部５３ｅとを備える。押下突起５３ｃは、第２排出操作レバー５２のクラッチ突起５２ｄが大径ギア４１ｂの下から抜け出た直後に、大径ギア４１ｂの上に入り込むようになっている。
【００４７】
図２１は、伝達ギア機構３２が、モータ側とディスク搬送機構側とに切り離された状態でのディスク排出負荷を示すものである。曲線８１はローディングスライダ３４のディスク排出負荷を表し、直線８２はコイルバネ３５の駆動力（蓄勢力）を表している。ローディングスライダ３４がディスク装填位置にセットされている場合は、昇降フレーム７が図７（Ｄ）に示す記録／再生位置にある。ローディングスライダ３４がディスク装填位置から前方に移動すると、先ずディスク支持アーム２０及び誘引アーム２１が少し回転してディスクＤ１を保持する。次に昇降フレーム７が図７（Ｃ）に示すチャッキング完了位置（最上昇位置）に向かって上昇する。これに伴ってディスク排出負荷が徐々に増大する。そして、昇降フレーム７がチャッキング完了位置に達すると、ディスクＤ１が天板９に強く押し付けられるため、ディスク排出負荷が最大となる。
【００４８】
昇降フレーム７がチャッキング完了位置から下降を開始すると、ディスク排出負荷が徐々に小さくなる。そして、昇降フレーム７が図７（Ｂ）を通過した直後に、ディスクＤ１の下面がチャッキング解除ピン１４で受け止められる。この後は、ディスクＤ１の下降が阻止された状態で、昇降フレーム７だけがチャッキング解除位置（ディスク抜出位置）に向かって下降し、ディスクＤ１の中心孔Ｄ１ａからチャッキングヘッド１３の抜き出し動作が開始される。この抜き出し動作中には、ディスク排出負荷が徐々に大きくなる。抜き出し動作が終了すると、昇降フレーム７が図７（Ａ）に示す下降位置に向かって移動する。この区間では、ディスク排出負荷が減少する。
【００４９】
昇降フレーム７が下降位置に到達すると、ディスク支持アーム２０及び誘引アーム２１が回転して、ディスクＤ１をイジェクト位置に向けて移動する。この区間では、ディスク支持アーム２０及び誘引アーム２１が回転するだけであるから、ディスク排出負荷が小さく、そして緩やかに減少する。
【００５０】
図２１から分かるように、ディスク排出負荷がコイルバネ３５の駆動力よりも小さい場合には、コイルバネ３５によってローディングスライダ３４が前方に移動する。しかし、ディスク排出負荷がコイルバネ３５の駆動力よりも大きい場合には、コイルバネ３５の駆動力を受けても、ローディングスライダ３４が停止している。このローディングスライダ３４が停止している区間は、第２排出操作レバー５２のラックギア５２ｆで第３伝達ギア４３を回転すれば、ローディングスライダ３４が前方に移動する。
【００５１】
コイルバネ３５の駆動力が直線８２の場合には、ローディングスライダ３４の停止区間が２個であるから、操作ピン７０の２回の押し込み操作で、ディスクＤ１のチャッキングを完全に解除して、ローディングスライダ３４をイジェクト位置に戻すことができる。なお、操作ピン７０の１回の押し込み操作では、１個の停止区間を通過できない場合には、操作ピン７０を複数回往復動させて、第３伝達ギア４３を小刻みに回転させる。
【００５２】
また、直線９１に示すように、コイルバネ３５の駆動力を強くすれば、ローディングスライダ３４の停止区間が１個となるから、操作ピン７０の１回の押し込み操作で、ディスクＤ１のチャッキングを完全に解除して、ローディングスライダ３４をイジェクト位置に戻すことが可能となる。
【００５３】
次に、上記実施形態の作用について説明する。ディスクＤ１の挿入前には、図８に示すように、ローディングスライダ３４は、イジェクト位置に移動しており、また、各排出操作レバー５１，５２は、コイルバネ５５，５６により前方に移動している。この状態では、図１２に示すように、第１伝達ギア４１はクラッチ突起５２ｄにより噛合位置まで押し上げられているから、小径ギア４１ａは大径ギア４２ａに噛合している。
【００５４】
ディスクＤ１がベゼル３のスロット３ａから挿入されると、図４に示すように、ディスクＤ１の先端側がディスク支持アーム２０のホルダ２０ａに支持される。このディスクＤ１の押込みに応じて、図５に示すように、バネ３８ｃに抗してリンクアーム３８を伸長しながらディスク支持アーム２０がベース部２０ｂとともに、軸２２を中心にして図５において時計方向に回転する。
【００５５】
ディスク支持アーム２０が、更に押し込まれると、ベース部２０ｂがスイッチ３９をＯＮにする。このスイッチ３９の信号に基づいて、ローディングモータ３１が回転を開始する。このローディングモータ３１の回転は、第１伝達ギア４１、第２伝達ギア４２及び第３伝達ギア４３を介して、ローディングスライダ３４に伝達され、ローディングスライダ３４は後方に移動する。
【００５６】
ローディングスライダ３４が後方に移動すると、カム溝３４ｃによってリンクレバー２４のピン２４ａが押されるため、このピン２４ａがカム溝２５に沿って移動する。これにより、リンクレバー２４が移動するため、誘引アーム２１が軸２３を支点にして図４において時計方向に揺動する。この誘引アーム２１は、その先端に取り付けたフランジ付ローラ２１ａがディスクＤ１の後端部を押す。
【００５７】
また、ローディングスライダ３４は、カム溝３４ｄによってリンクレバー３６を図４において時計方向に回転する。このリンクレバー３６の回転は、リンクアーム３８を介してベース部２０ｂに伝達され、ディスク支持アーム２０を図５において時計方向に回転させる。これにより、ディスクＤ１は、ディスク支持アーム２０と誘引アーム２１とで保持されて、本体ケース２内に搬入される。
【００５８】
ディスクＤ１が、チャッキング位置に搬入されると、図７（Ａ）に示すように、ディスクＤ１の中心孔Ｄ１ａがチャッキングヘッド１３と一致する。この時点では、昇降フレーム７の昇降ピン７ｂが、ローディングスライダ３４のカム溝３４ｅの傾斜部３４ｇに到達する。その後は、ディスク支持アーム２０と誘引アーム２１とが停止した状態で、ローディングスライダ３４に連動して昇降ピン７ｂが傾斜部３４ｇに沿って移動するから、昇降フレーム７が図７（Ａ）に示す下降位置から上昇する。
【００５９】
図７（Ｂ）に示すように、昇降フレーム７が上昇すると、チャッキングヘッド１３がディスクＤ１の中心孔Ｄ１ａに少し入り込む。ディスクＤ１が、チャッキングヘッド１３で更に押し上げられると、図７（Ｃ）に示すように、天板９の凹部９ｂにより形成された本体ケース２内壁の突出部で受け止められるから、チャッキングヘッド１３が中心孔Ｄ１ａに充分入り込み、チャッキング爪１３ａで係止される。図７（Ｄ）に示すように、チャッキング後に、ディスクＤ１が天板９から離れるように、昇降フレーム７が僅かに下降して、昇降ピン７ｂがカム溝３４ｅの高位部３４ｈに入る。これにより、昇降フレーム７がディスク装着位置から僅か下がった記録／再生位置に位置決めされる。
【００６０】
チャッキング動作中は、ディスク支持アーム２０と誘引アーム２１とが停止しているが、チャッキングが完了すると、ローディングスライダ３４の最後のストロークでディスクＤ１から離れてその保持を解除する。このディスク支持アーム２０と誘引アーム２１とがディスクＤ１の保持を解除するタイミングで、ローディングスライダ３４がスイッチ（図示せず）をＯＮにするから、ローディングモータ３１が停止してディスクＤ１の搬入が終了する。ディスクＤ１の装填後は、ディスクＤ１を高速回転させてから、ヘッドユニット１７を駆動させて、ディスクＤ１の記録／再生が行われる。
【００６１】
ディスクＤ１を本体ケース２から自動搬出する場合は、ベゼル３の押し釦４を操作するか、または情報機器からの指令がディスク装置１に送られる。ディスク装置１の制御回路（図示せず）は、まずスピンドルモータ１１を停止させ、次にローディングモータ３１を逆転させる。このローディングモータ３１の逆転により、ローディングスライダ３４が前方に移動する。
【００６２】
また、ローディングスライダ３４の前方への移動が開始されると、ディスク支持アーム２０と誘引アーム２１とが少し揺動して、ディスクＤ１の外周を保持する。次に、昇降フレーム７は、図７（Ｄ）から図７（Ａ）に向かって移動する。先ず、昇降フレーム７が、記録／再生位置から僅かに上昇した後に下降する。そして、昇降フレーム７が下降位置まで下降する。この下降中に、ディスクＤ１がチャッキング解除ピン１４で受け止められるから、ディスクＤ１がチャッキングヘッド１３から抜き出される。昇降フレーム７の下降後に、ディスク支持アーム２０と誘引アーム２１とが再び揺動をし、図５に示す自動搬出時のイジェクト位置までディスクＤ１を搬出する。
【００６３】
自動搬出時には、ローディングモータ３１によって、ローディングスライダ３４が移動されるから、図８に示すように、ディスクＤ１が本体ケース２外に搬出された状態では、ローディングスライダ３４が第１排出操作レバー５１にほぼ当接している。これにより、ディスクＤ１が本体ケース２外に搬出されたときに、エマージェンシ孔３ｂに操作ピン７０を挿入する誤操作が行われたときにも、第１排出操作レバー５１が移動することがなく、誤操作により第１排出操作レバー５１や第２排出操作レバー５２等が破損することがない。
【００６４】
ディスク装置１の動作中に、電池切れ、電源の遮断、故障などによって、ローディングモータ３１が動作しなくなり、本体ケース２内に装填されたディスクＤ１の自動搬出が行えないことがある。この場合、図１４〜図２０に示すように、エマージェンシ孔３ｂに操作ピン７０を挿入して、ディスクＤ１を強制排出する。ここでは、コイルバネ３５の駆動力が図２１に示す直線８２の場合を例に説明する。
【００６５】
図１４に示すように、操作ピン７０が押し込まれると、第１排出操作レバー５１が、コイルバネ５５の付勢に抗して後方に移動する。第１排出操作レバー５１が２ｍｍ程度（遊び区間）移動すると、突起５１ｃが、第２排出操作レバー５２の開口５２ｃの後端に当接する。この後は、第２排出操作レバー５２は、第１排出操作レバー５１と一緒に移動する。
【００６６】
操作ピン７０を更に押して、各排出操作レバー５１，５２が更に２ｍｍ程度後方に移動すると、図１３に示すように、クラッチ突起５２ｄが第１伝達ギア４１の下面から離れ、第１伝達ギア４１は自重で下方向に移動可能となる。これと同時または直後に、ボス５２ｅがリブ５３ｂの第１傾斜部５３ｄ、第２傾斜部５３ｅを順に押圧する。ボス５２ｅが第１傾斜部５３ｄを押圧すると、噛合解除レバー５３は、支持板５９を支点に反時計方向に揺動する。この揺動により、押下突起５３ｃが第１伝達ギア４１の大径ギア４１ｂの上面に入り込むから、第１伝達ギア４１が噛合位置に止まっている場合でも、非噛合位置まで押し下げることができる。なお、クラッチ突起５２ｄが大径ギア４１ｂの下面から離れてから、押下突起５３ｃが大径ギア４１ｂの上面に入り込むから、クラッチ突起５２ｄと押下突起５３ｃとが第１伝達ギア４１に干渉して破損することがなく、また、第１伝達ギア４１を押し下げて、第２伝達ギア４２との噛合を確実に解除する。
【００６７】
ボス５２ｅは、第１傾斜部５３ｄを押しながら揺動すると、噛合解除レバー５３の揺動でほぼ垂直となった第２傾斜部５３ｅに当接する。この第２傾斜部５３ｅがボス５２ｅで受け止められるから、噛合解除レバー５３は、それ自身のバネ力で戻ることなく、その位置に保たれる。
【００６８】
第１伝達ギア４１が非噛合位置まで押し下げられると、伝達ギア機構３２は、モータ側とディスク搬送機構側とに切り離される。本実施形態では、モータ側のギアは、第１伝達ギア４１であり、ディスク搬送機構側のギアは、第２伝達ギア４２、第３伝達ギア４３である。
【００６９】
伝達ギア機構３２が、モータ側とディスク搬送機構側とに切り離されると、ウォームギア３１ａの大きな回転負荷がなくなるので、第３伝達ギア４３が回転可能となる。これにより、コイルバネ３５の蓄勢力により、ローディングスライダ３４が第３伝達ギア４３を回転させながら前方へ移動して、ディスクＤ１の排出動作が開始される。
【００７０】
ローディングスライダ３４が、ディスク装填位置から移動を開始すると、図２１の曲線８１に示すように、ディスク排出負荷が徐々に大きくなり、直線８２で示すコイルバネ３５の駆動力と一致する。この時点でローディングスライダ３４の前進力がなくなるから、第１排出位置で停止する。
【００７１】
図１５に示すように、操作ピン７０を更に押して各排出操作レバー５１，５２が２ｍｍ程度後方に移動すると、ラックギア５２ｆと大径ギア４３ｂとが噛合する。この状態で、各排出操作レバー５１，５２が更に後方に２ｍｍ程度移動すると、ラックギア５２ｆと噛合している第３伝達ギア４３が時計方向に回転する。
【００７２】
第３伝達ギア４３が時計方向に回転すると、ローディングスライダ３４が、最上昇位置を超えて第２排出位置（図２１参照）まで移動する。この時点では、コイルバネ３５の駆動力はディスク排出負荷よりも大きいので、ローディングスライダ３４が前方に移動しようとするが、図１９に示すように、開口５２ｃは突起５１ｃで受け止められているから、第２排出操作レバー５２が反時計方向に回転しない。したがって、ラックギア５２ｆと大径ギア４３ｂとの噛合は解除されず、第３伝達ギア４３は回転できないから、ローディングスライダ３４も前方に移動しない。
【００７３】
ローディングスライダ３４が第２排出位置に停止している状態で、操作ピン７０を前方に引くと、各排出操作レバー５１，５２がコイルバネ５５，５６によって前方へ戻る。この際に、大径ギア４３ｂの歯は、ラックギア５２ｆの傾斜した歯面に当たるとともに、開口５２ｃ内で突起５１ｃが下がるため、図２０に示すように、第２排出操作レバー５２が、コイルバネ５６に抗してピン４６を中心に反時計方向に僅かに揺動しながら、ラックギア５２ｆが大径ギア４３ｂを通過する。ラックギア５２ｆが戻って大径ギア４３ｂとの噛合が解除されると、大径ギア４３ｂが回転可能となる。この時点では、コイルバネ３５による駆動力はディスク排出負荷よりも大きいので、図１６に示すように、ローディングスライダ３４が前方に移動する。しかし、ディスク排出負荷が大きい第３排出位置まで移動すると、ローディングスライダ３４が再び停止する。
【００７４】
操作ピン７０をエマージェンシ孔３ｂから引き抜くと、第２排出操作レバー５２が前方に移動する。これにより、ボス５２ｅによる噛合解除レバー５３の押圧が解除され、図１７に示すように、噛合解除レバー５３は元の位置に戻る。噛合解除レバー５３が戻ると、押下突起５３ｃが第１伝達ギア４１の上面から離れ、第１伝達ギア４１は上方向に移動可能となる。この後、図１２に示すように、クラッチ突起５２ｄが第１伝達ギア４１の下面に当接して、第１伝達ギア４１はクラッチ突起５２ｄにより噛合位置まで押し上げられ、第１伝達ギア４１が第２伝達ギア４２に噛合する。
【００７５】
そして、再度操作ピン７０を押して、各排出操作レバー５１，５２を後方に移動させれば、第１伝達ギア４１と第２伝達ギア４２との噛合が解除された後、ラックギア５２ｆと大径ギア４３ｂとが噛合し、ラックギア５２ｆにより第３伝達ギア４３が回転する。これにより、ローディングスライダ３４が、ディスク抜出位置を超えて第４排出位置まで移動し、ディスクＤ１はチャッキングヘッド１３から抜き出される。これ以降は、ディスク排出負荷が、コイルバネ３５の駆動力よりも小さくなるため、ローディングスライダ３４は、コイルバネ３５により前方に移動可能となる。
【００７６】
なお、操作ピン７０を僅か戻してから再び押し込めば、第１伝達ギア４１と第２伝達ギア４２との噛合が解除された状態で、ラックギア５２ｆが再び大径ギア４３ｂに噛合し、第３伝達ギア４３を再び回転させることができる。
【００７７】
ローディングスライダ３４が第４排出位置に停止している状態で、操作ピン７０を引き抜くと、各排出操作レバー５１，５２がコイルバネ５５，５６によって前方へ移動して、ラックギア５２ｆと大径ギア４３ｂとの噛合が解除される。ラックギア５２ｆが大径ギア４３ｂから外れると、コイルバネ３５によるローディングスライダ３４の前方への移動が開始される。ディスク排出負荷が小さいので、ローディングスライダ３４が速く前進し、ディスクＤ１をイジェクト位置に向けて排出する。
【００７８】
操作ピン７０の引き抜き操作に追従して、第２排出操作レバー５２が前方に移動すると、第１伝達ギア４１が第２伝達ギア４２に噛合する。第１伝達ギア４１が第２伝達ギア４２に噛合すると、ウォームギア３１ａによる大きな負荷が加わるために、ローディングスライダ３４の前進が停止する。このときには、ディスク支持アーム２０及び誘引アーム２１により、ディスクＤ１は、図２に示す強制排出時のイジェクト位置まで排出されている。
【００７９】
第１伝達ギア４１と第２伝達ギア４２との噛合が完了した後、第２排出操作レバー５２の前進が停止する。その後は、第１排出操作レバー５１だけが更に前進する。このため、ディスクＤ１の強制排出では、ローディングスライダ３４の先端は、図１８に示すように、第１排出操作レバー５１の受け部５１ａから少し離れている。
【００８０】
操作ピン７０を速く引き抜くことにより、第１，第２排出操作レバー５１，５２が速く戻ると、ローディングスライダ３４が第４排出位置から少し移動した時点で、第１伝達ギア４１が第２伝達ギア４２に噛合してローディングスライダ３４の移動が停止することがある。この状態では、ディスクＤ１がスロット３ａから全く出ていないか、あるいは僅かしか出ていない。この場合には、操作ピン７０を再度押し込み、第１伝達ギア４１と第２伝達ギア４２との噛合を解除すれば、コイルバネ３５の駆動力でローディングスライダ３４が前進して、ディスクＤ１をスロット３ａから排出する。
【００８１】
操作ピン７０を速く引き抜いてもローディングスライダ３４が途中で停止しないようにするには、ローディングスライダ３４の前進速度に比べて、第２排出操作レバー５２の戻り速度を遅くすればよい。これは、コイルバネ５５，５６としてバネ力が弱いものを使用したり、あるいは第１排出操作レバー５１と第２排出操作レバー５２との間にグリースを塗布して、第２排出操作レバー５２の摩擦を大きくしたり、第２排出操作レバー５２に減速機構を設ければよい。
【００８２】
また、ローディングスライダ３４が第４排出位置に停止している状態で、操作ピン７０をゆっくり引くと、ローディングスライダ３４が僅か前進しただけで、その先端面が第１排出操作レバー５１の受け部５１ａで受け止められることになる。ローディングスライダ３４が途中で止まると、ディスクＤ１が、ベゼル３から２０ｍｍ程度突出した位置で止まる。そして、操作ピン７０の引き抜き操作に追従して、ローディングスライダ３４がイジェクト位置に移動すると、ディスクＤ１は、イジェクト位置まで排出される。
【００８３】
なお、上記実施形態では、各排出操作レバー５１，５２が後方に移動したときに、第１伝達ギア４１と第２伝達ギア４２との噛合を解除しているが、第２伝達ギア４２と第３伝達ギア４３との噛合を解除してもよい。
【００８４】
また、噛合解除レバー５３の代わりに、第１伝達ギア４１を非噛合位置に向けて付勢するバネを設けてもよい。
【００８５】
さらに、突起５１ｃを第２排出操作レバー５２に設け、開口５２ｃを第１排出操作レバー５１に設けるようにしてもよい。
【符号の説明】
【００８６】
１  ディスク装置
２  本体ケース
３ａ  スロット
２０  ディスク支持アーム
２１  誘引アーム
３１  ローディングモータ
３２  伝達ギア機構
３３  ディスク搬送機構
３４  ローディングスライダ
３５  コイルバネ
４１  第１伝達ギア
４２  第２伝達ギア
４３  第３伝達ギア
５１  第１排出操作レバー
５１ｃ  突起
５２  第２排出操作レバー
５２ｃ  開口
５２ｄ  クラッチ突起
５２ｆ  ラックギア
５５，５６  コイルバネ
７０  操作ピン
Ｄ１  ディスク
【図１】
0005527508.tif 000002
【図２】
0005527508.tif 000003
【図３】
0005527508.tif 000004
【図４】
0005527508.tif 000005
【図５】
0005527508.tif 000006
【図６】
0005527508.tif 000007
【図７】
0005527508.tif 000008
【図８】
0005527508.tif 000009
【図９】
0005527508.tif 000010
【図１０】
0005527508.tif 000011
【図１１】
0005527508.tif 000012
【図１２】
0005527508.tif 000013
【図１３】
0005527508.tif 000014
【図１４】
0005527508.tif 000015
【図１５】
0005527508.tif 000016
【図１６】
0005527508.tif 000017
【図１７】
0005527508.tif 000018
【図１８】
0005527508.tif 000019
【図１９】
0005527508.tif 000020
【図２０】
0005527508.tif 000021
【図２１】
0005527508.tif 000022